(57)【要約】【課題】  バイブレータを水廻りで使用したり、また汚れた場合には水で洗ったりすることが出来るようにする。【解決手段】  防水性を有する伸縮自在な素材から成型された筒状体の一側が液密に閉じられており、他側がバイブレータに密着可能な径を有する開口部とされたバイブレータカバーとした。また防水性を有する伸縮自在な素材から成型された袋状体に、バイブレータに密着可能な径を有する開口部が設けられているバイブレータカバーとした。また上述したバイブレータカバーをバイブレータに被せて成る防水カバー付きバイブレータとした。【選択図】  図１
2005237911.tif 000002
【特許請求の範囲】
【請求項１】
防水性を有する伸縮自在な素材から成型された筒状体の一側が液密に閉じられており、他側がバイブレータに密着可能な径を有する開口部とされていることを特徴とする、バイブレータカバー。
【請求項２】
防水性を有する伸縮自在な素材から成型された袋状体に、バイブレータに密着可能な径を有する開口部が設けられていることを特徴とする、バイブレータカバー。
【請求項３】
前記開口部がくびれた状態に形成されている、請求項１または請求項２に記載のバイブレータカバー。
【請求項４】
前記開口部が通常は閉じている状態の径を有している、請求項１または請求項２に記載のバイブレータカバー。
【請求項５】
前記開口部が肉厚に形成されている、請求項１または請求項２に記載のバイブレータカバー。
【請求項６】
少なくともバイブレータ側のスイッチ等操作部に相当する部位が透明または半透明とされて成る、請求項１または請求項２に記載のバイブレータカバー。
【請求項７】
表面に凹凸が形成されている、請求項１または請求項２に記載のバイブレータカバー。
【請求項８】
請求項１または請求項２に記載のバイブレータカバーが前記開口部からバイブレータに被せられて成ることを特徴とする、防水カバー付きバイブレータ。
【請求項９】
請求項３〜請求項８の何れか一に記載のバイブレータカバーを備えた、請求項９に記載の防水カバー付きバイブレータ。
【請求項１０】
前記バイブレータカバーを収納するための収納部を備えた、請求項９に記載の防水カバー付きバイブレータ。
【発明の詳細な説明】
【技術分野】
【０００１】  この発明は、身体用のマッサージ器具、すなわちバイブレータを水廻りで使用したり、また汚れた場合には水で洗ったりすることが出来るようにする、バイブレータカバー及び防水カバー付きバイブレータに関する。
【背景技術】
【０００２】  従来より筋肉のコリを解したりツボを刺激する器具として、ハンディータイプのマッサージ器具が用いられて来た。また陰茎を模した形状を呈して腟内に挿入出来るようにしたものもある。これ等には単なる棒状のものや、内部に振動発生部を内蔵するものなど様々なタイプのものがある。前記振動発生部を内蔵するものは一般的にバイブレータと呼称されている。振動発生部は一般的に偏心重錘を有するモータによって構成されており、このモータに電池とスイッチとが接続されている。この一例として特開２００１−１０４４２７号を上げる。またあるものでは更に前記モータの動きを細かく制御するためのコントローラが内蔵されている。
【特許文献１】特開２００１−１０４４２７号公報
【発明の開示】
【発明が解決しようとする課題】
【０００３】  さて上述した筋肉のコリを解したりツボを刺激するタイプのバイブレータを、風呂場で使いたいとする要望がある。また腟内に挿入してマッサージするタイプのバイブレータが腟から分泌する体液により濡れてしまうと言う問題がある。またこのような液体が着いて汚れたバイブレータを洗いたいとする要望がある。しかしながら上述したように振動発生部にはモータが納められていたり、電池やスイッチが取り付けられていたり、場合によっては前記コントローラが設けられており、電池ボックスの蓋部分やスイッチの取り付け部分等々から内部に液体が入ると壊れてしまうと言う問題がある。しかしながらこの部位にシールを設けようとすると、部品点数が増えたり構造が複雑になったりして製造コストが高くなると言う新たな問題が発生する。【０００４】  そこでこの発明は簡単な手段と低いコストで防水性を確保して、バイブレータを洗えるようにすることを課題とする。
【課題を解決するための手段】
【０００５】  上記の課題は、防水性を有する伸縮自在な素材から成型された筒状体の一側が液密に閉じられており、他側がバイブレータに密着可能な径を有する開口部とされたバイブレータカバーを提供することによって達成される。また防水性を有する伸縮自在な素材から成型された袋状体に、バイブレータに密着可能な径を有する開口部が設けられているバイブレータカバーを提供することによって達成される。【０００６】  前記筒状体や袋状体は伸縮自在であるため、前記開口部を広げてこの筒状体をバイブレータの所要部位に被せることが出来る。また前記開口部はバイブレータに密着可能な径とされていることから、バイブレータに被せた後はこれに密着して、ここから液体が浸入することは出来なくなる。勿論筒状体や袋状体の全体は防水性を有しているために、前記開口部以外からの液体の浸入も不可能である。従ってこのバイブレータカバーをバイブレータに被せておけば、防水性能を確保して安心して洗浄することが出来るのである。また防水性が確保されていれば、水廻りで使用することさえ可能である。なおこのバイブレータカバーの大きさに付いては、必要な部分のみ覆い得るものであっても、バイブレータの全体が入ってしまうようなものであってもよい。筒状体や袋状体の素材としては、一例としてシリコンやラテックスやエラストマー等のゴムを上げる。【０００７】  次に上記バイブレータカバーに於いて、前記開口部がくびれた状態に形成されているものとすることが出来る。また前記開口部が通常は閉じている状態の径を有しているものとすることが出来る。また前記開口部が肉厚に形成されているものとすることが出来る。【０００８】  何れの構成にせよ、バイブレータに被せた時に径の狭い口がその弾力性を利用してバイブレータにしっかりと密着するので、この部位の防水性はより確実なものとなる。従って洗浄するにせよ水廻りで使用するにせよ、安心して用いることが出来るのである。【０００９】  次に上記バイブレータカバーに於いて、少なくともバイブレータ側のスイッチ等操作部に相当する部位が透明または半透明とされて成るものとすることが出来る。なお筒状体や袋状体の全体を透明または半透明の素材で成型すると、コスト面などからも好都合である。【００１０】  バイブレータにバイブレータカバーを被せたままでスイッチ等操作部を操作することが出来るため、水廻りで使用するには都合の良いものとなっている。なお全体の肉厚が厚い場合は、このバイブレータカバーを通してのスイッチ等操作部の操作が容易に行ない得るように、この部位のみ肉厚を薄くすると良い。【００１１】  次に上記バイブレータカバーに於いて、表面に凹凸が形成されているものとすることが出来る。表面の凹凸によって、洗浄したり水廻りで使用する際の滑りを防止することが出来る。なお凹凸の形成の仕方によっては、ツボ刺激等に都合の良いものとなる。【００１２】  さて上記の課題は、防水性を有する伸縮自在な素材から成型された筒状体の一側が液密に閉じられており、他側がバイブレータに密着可能な径を有する開口部とされたバイブレータカバーを、前記開口部からバイブレータに被せて成る防水カバー付きバイブレータを提供することによって達成される。��た防水性を有する伸縮自在な素材から成型された筒状体の一側が液密に閉じられており、他側がバイブレータに密着可能な径を有する開口部とされたバイブレータカバーを、前記開口部からバイブレータに被せて成る防水カバー付きバイブレータを提供することによって達成される。【００１３】  すなわち上述したバイブレータカバーをバイブレータに被せて成る防水カバー付きバイブレータとすることによって、防水性能が確保され、安心して洗浄したり水廻りで使用することが出来るバイブレータとなるのである。【００１４】  なお請求項３〜請求項８の何れか一に記載のバイブレータカバーを備えたものとすることによって、上述した利点を持たせることが可能となる。【００１５】  また上記防水カバー付きバイブレータに於いて、バイブレータカバーを収納するための収納部を備えたものとすることが出来る。例えばバイブレータにカバーを収納し得る広さの部屋を設け、ここに蓋部を取り付けるようにすれば収納部となる。【００１６】  バイブレータカバーの不使用時には、蓋部を空けて収納部内にカバーを収納しておくようにすれば、邪魔にならずに必要な時には何時でも取り出して使用することが可能となる。バイブレータカバーをバイブレータに被せる時には、収納部にも掛かるようにすると良い。
【発明の効果】
【００１７】  防水性と伸縮性とを有するバイブレータカバーを提供することによって、低いコストで防水性が確保されるようになり、バイブレータを洗うことが出来るようになった。またバイブレータを水廻りで使用することが可能となっている。
【発明を実施するための最良の形態】
【００１８】  第１実施形態
防水性を有する伸縮自在な素材から成型された筒状体の一側が液密に閉じられており、他側がバイブレータに密着可能な径を有する開口部とされている。筒状体の部分はバイブレータに密着するように形作る場合が多い。なお前記開口部は筒状体と同一の径であっても、これより小さい径であっても良い。なお後述する実施例では図１及び図２のもの、図３、図５のものがこれに相当する。【００１９】  第２実施形態
防水性を有する伸縮自在な素材から成型された袋状体に、バイブレータに密着可能な径を有する開口部が設けられている。バイブレータに被せた時に袋状体がバイブレータに密着しないとしても、開口部で密着するため、防水性は確保される。しかしながら袋状体がバイブレータに密着し得るように形作って良いことは言うまでもない。なお後述する実施例では図４のものがこれに相当する。【００２０】  第３実施形態
上述した筒状体から成るバイブレータカバー、または上述した袋状体から成るバイブレータカバーを前記開口部からバイブレータに被せて成る防水カバー付きバイブレータである。バイブレータカバーが防水を必要とする箇所を覆っているため、水廻りでの使用が可能となる。なお後述する実施例では図６のものがこれに相当する。
【実施例】
【００２１】  第１実施例
この実施例のバイブレータカバー１はゴム製の筒状体１０の一側が封止部１１と成されており他側にくびれ開口部１２が形成されているものである。図１及び図２で表わすように全体は半透明と成っているが、材料のゴムに顔料を添加して不透明とすることも可能である。【００２２】  このバイブレータカバー１を、図１で表わすように前記くびれ開口部１２からバイブレータ２の電池ボックス２１及び制御ボックス２２の上を覆うようにして被せるのである。この部位は振動発生部２０との接合部や、電池ボックス２１の図示しない蓋部や、制御ボックス２２から外側に取り出されているスイッチ類のような非防水箇所が存在している。従ってこの部位をこのバイブレータカバー１で覆ってしまえば、くびれ開口部１２が振動発生部２０に密着してバイブレータカバー１が掛かった部位は防水と成り、バイブレータ２の全体に防水性が付与されたことになるのである。【００２３】  第２実施例
図３はこの実施例のバイブレータカバー１を表わすが、これは上述の第１実施例のものの筒状体１０の外側の部位にたくさんの突起１３を設けると共にくびれ開口部１２の外側の２ヵ所につまみ１４を設けて成るものである。【００２４】  筒状体１０の外側に設けたたくさんの突起１３によって、洗浄したり水廻りで使用する際の滑りを防止することが出来る。また突起１３はツボ刺激等に都合の良いものである。また開口部１２の外側に設けられているつまみ１４は、バイブレータカバー１を外す際の端緒となるものであり、ここをつまむようにして開口部１２を広げるのである。【００２５】  第３実施例
次にこの実施例のバイブレータカバー３はゴム製の袋状体３０にバイブレータに密着可能な径を有するくびれ開口部３１が形成されたものである。なおくびれ開口部３１の縁部は肉厚縁部３２とされている（図４）。【００２６】  このバイブレータカバー３を前記くびれ開口部３１を広げてバイブレータの上を覆うようにして被せ、バイブレータに防水性を付与すると、くびれ開口部３１から液体が浸入することは出来ず、これによって安心して洗浄することが可能となる。なお肉厚縁部３２はこれが形成されたくびれ開口部３１に更なる弾力性を与えて、バイブレータにしっかりと密着させる役目を担うものである。【００２７】  第４実施例
次にこの実施例のバイブレータカバー４はゴ厶製の筒状体４０の一側が封止部４１と成されており他側にくびれ開口部４２が形成されているものである。またこのくびれ開口部４２は通常は閉じている状態の径を有するつぶれ部４３とされている（図５）。【００２８】  従ってこのバイブレータカバー４をバイブレータに被せた時に、つぶれ部４３がその弾力性を利用してバイブレータにしっかりと密着するので、ここの防水性はより確実なものとなり、洗浄するにせよ水廻りで使用するにせよ安心して用いることが出来るのである。【００２９】  第５実施例
さて図６はこの実施例の防水カバー付きバイブレータ５を表わす。このものの電池ボックス５３、制御ボックス５４及びバイブレータカバー１の収納ボックス５５がある非防水箇所は、バイブレータカバー１で覆われている。バイブレータ５は硬質合成樹脂製の固定筒部５０と、その先方に取り付けられた軟質合成樹脂製の旋回筒部５１と、及び前記固定筒部５０から枝別れして形成されている枝部５２とから成る。また前記固定筒部５０の後方には前記電池ボックス５３等々が設けられている。【００３０】  バイブレータ５の電池ボックス５３と制御ボックス５４とバイブレータカバー１の収納ボックス５５とがある非防水箇所をバイブレータカバー１で覆うのであるが、このものはゴム製の筒状体１０の一側が封止部１１と成されており、他側に開口部１５が形成されているものである。この開口部１５は筒状体１０に続く部位であって、開口部１５の直径は筒状体１０の直径にほぼ等しいのであるが、バイブレータ５に被せると筒状体１０が伸ばされて電池ボックス５３等々の周りに密着し、開口部１５の部位でくびれた形状となって固定筒部５０に密着する。なおバイブレータカバー１の全体は半透明であり、この上から制御ボックス５４の後述するスイッチ類を操作することが出来るようになっている。【００３１】  固定筒部５０内にはモータ６が収容されており、このモータ６はギヤボックス６０を介して回転軸６１とその周りに配置された複数個の玉６２とを回転可能とされている。なお前記回転軸６１は先方が湾曲した形状とされいる。またモータ６は図示しないリード線で制御ボックス５４のスイッチに配線されている。さて制御ボックス５４のスイッチをＯＮ状態にするとモータ６が回転して、複数個の玉６２を回転させると共に回転軸６１を回転させる。この回転軸６１の回転に伴なって、軟質合成樹脂製の旋回筒部５１は旋回運動を行なう。またこの際に軽い振動が発生する。従ってこのバイブレータ５を腟内に挿入すると、回転する複数個の玉６２と旋回運動を行なう旋回筒部５１とにより腟壁がマッサージされる。また腟壁には軽い振動が伝わる。この際にバイブレータカバー１は腟から分泌する体液から制御ボックス５４等々を守ってくれるのである。また使用後の水洗いの際にも役立つことになる。【００３２】  一方、前記固定筒部５０から枝別れして形成されている枝部５２内にはモータ７が収容されており、このモータ７の回転軸７０には偏心重錘７１が取り付けられている。モータ７は図示しないリード線で制御ボックス５４の別のスイッチに配線されている。さて制御ボックス５４のスイッチをＯＮ状態にするとモータ７が回転して振動を発生する。これにより身体所望の部位にマッサージ振動を加えることが出来るのである。
【産業上の利用可能性】
【００３３】  上述したように濡れては困る部位にシールを施す代わりにバイブレータカバーを付けてしまおう、と言うのがこの発明の主旨である。従って例えば振動部分と制御ボックス部分とが別体であってリード線で繋がれているタイプのものであれば、制御ボックス部分を覆うためのバイブレータカバーを提供することが可能である。バイブレータカバーの素材は防水性と伸縮性とを備えているものであれば何でもよいが、シリコンゴムのように粘着性を備えたものであればバイブレータに対する密着性がより高いものとなるので好ましい。なおバイブレータカバーを不透明なものとした場合などでは、制御ボックスのスイッチ類に対応する部位の表側にスイッチ類の在処を示す表示を行なうようにしてもよい。
【図面の簡単な説明】
【００３４】
【図１】  第１実施例の使用状態を表わす斜視図である。
【図２】  同実施例の斜視図である。
【図３】  第２実施例の斜視図である。
【図４】  第３実施例の側面図である。
【図５】  第４実施例の側面図である。
【図６】  第５実施例の模式図である。
【符号の説明】
【００３５】  １    バイブレータカバー
１０  筒状体
１１  封止部
１２  くびれ開口部
１３  突起
１４  つまみ
１５  開口部
２    バイブレータ
２０  振動発生部
２１  電池ボックス
２２  制御ボックス
３    バイブレータカバー
３０  袋状体
３１  くびれ開口部
３２  肉厚縁部
４    バイブレータカバー
４０  筒状体
４１  封止部
４２  開口部
４３  つぶれ部
５    防水カバー付きバイブレータ
５０  固定筒部
５１  旋回筒部
５２  枝部
５３  電池ボックス
５４  制御ボックス
５５  収納ボックス
６    モータ
６０  ギヤボックス
６１  回転軸
６２  玉
７    モータ
７０  回転軸
７１  偏心重錘
【図１】
2005237911.tif 000003
【図２】
2005237911.tif 000004
【図３】
2005237911.tif 000005
【図４】
2005237911.tif 000006
【図５】
2005237911.tif 000007
【図６】
2005237911.tif 000008